(57)【要約】【課題】画像データの書き換え時期を管理するための管理プログラム及び記録媒体の提供。【解決手段】コンピュータを、各々の記録媒体の種別に応じて定められる保管期間の経過を管理する期間管理手段１３、保管期間が経過した後に、表示手段に、所定の記録媒体の保管期間が経過したことを示すメッセージや所定の記録媒体を探し出すために利用される記録媒体の色やデザインの情報を含む通知画面を表示させる表示制御手段１７、又は／及び、保管期間が経過した場合に、記録手段に、保管期間が経過した記録媒体に記録された画像データ又は管理装置にバックアップされた画像データを新しい記録媒体に記録させる記録制御手段１６として機能させる。これにより適切な時期に画像データの書き換えを実行することができ、記録媒体が劣化して大切な画像データが読み出せなくなるなどの不具合の発生を未然に防止できる。【選択図】図６
2006236464.tif 000002
【特許請求の範囲】
【請求項１】
コンピュータを、
画像データが記録された記録媒体に対応付けられた所定の期間の経過を管理する期間管理手段、
前記所定の期間が経過した後に、表示手段に、前記記録媒体の前記所定の期間が経過したことを示すメッセージを表示させる表示制御手段、として機能させることを特徴とする管理プログラム。
【請求項２】
前記表示制御手段では、前記表示手段に、前記メッセージに加えて、前記記録媒体に関連付けられた記録媒体を特定する情報、前記記録媒体のレーベル面の色を示す情報、又は、前記レーベル面のデザインを示す情報の少なくとも一つを表示させることを特徴とする請求項１記載の管理プログラム。
【請求項３】
コンピュータを、
画像データが記録された記録媒体に対応付けられた所定の期間の経過を管理する期間管理手段、
前記所定の期間が経過した後に、記録手段に、前記画像データを他の記録媒体に記録させる記録制御手段、として機能させることを特徴とする管理プログラム。
【請求項４】
前記画像データは所定の装置にバックアップされており、
前記記録制御手段では、前記記録手段に、前記記録媒体に記録された前記画像データ又は前記所定の装置にバックアップされた前記画像データのいずれかを前記他の記録媒体に記録させることを特徴とする請求項３記載の管理プログラム。
【請求項５】
前記所定の期間は、前記記録媒体又は所定の装置の少なくとも一方に記録されていることを特徴とする請求項１乃至４のいずれか一に記載の管理プログラム。
【請求項６】
前記所定の期間とは、前記記録媒体に前記画像データが記録されてから、前記記録媒体の種別に応じて定められる期間が満了するまでの期間であることを特徴とする請求項１乃至５のいずれか一に記載の管理プログラム。
【請求項７】
画像データと、
前記画像データが記録された記録媒体に対応付けられた所定の期間を示す情報と、
コンピュータを、前記所定の期間の経過を管理する期間管理手段、前記所定の期間が経過した後に、表示手段に、前記記録媒体の前記所定の期間が経過したことを示すメッセージを表示させる表示制御手段、として機能させる管理プログラムと、が少なくとも記録されていることを特徴とする記録媒体。
【請求項８】
前記表示制御手段では、前記表示手段に、前記メッセージに加えて、前記記録媒体に関連付けられた記録媒体を特定する情報、前記記録媒体のレーベル面の色を示す情報、又は、前記レーベル面のデザインを示す情報の少なくとも一つを表示させることを特徴とする請求項７記載の記録媒体。
【請求項９】
画像データと、
前記画像データが記録された記録媒体に対応付けられた所定の期間を示す情報と、
コンピュータを、前記所定の期間の経過を管理する期間管理手段、前記所定の期間が経過した後に、記録手段に、前記記録媒体に記録された前記画像データを他の記録媒体に記録させる記録制御手段、として機能させる管理プログラムと、が少なくとも記録されていることを特徴とする記録媒体。
【請求項１０】
前記所定の期間とは、前記記録媒体に前記画像データが記録されてから、前記記録媒体の種別に応じて定められる期間が満了するまでの期間であることを特徴とする請求項７乃至９のいずれか一に記載の記録媒体。
【発明の詳細な説明】
【技術分野】
【０００１】
本発明は、画像データの書き換え時期を管理するための管理プログラム及び記録媒体に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成（エンコード）し、該動画データに基づいてＤＶＤプレーヤやＤＶＤレコーダ、ＨＤＤレコーダ、ゲーム機などの家電機器で再生可能なデータ（以下、家電機器用データと呼ぶ。）を生成（オーサリング）し、生成したデータを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データを記録媒体に書き込んだり、コンピュータ機器のハードディスクにバックアップすることもできる。
【０００６】
【特許文献１】特開平１１−８８１７号公報（第３−４頁、第１図）
【発明の開示】
【発明が解決しようとする課題】
【０００７】
上記サービスを利用することにより、ネガフィルムから読み取った画像データや、デジタルカメラ、メディアから読み取った画像データなどが記録された記録媒体に入手することができ、この記録媒体を用いることによって写真画像を電子アルバムとして保管することができるが、記録媒体は永久的に使用できるものではなく、時間の経過に伴って劣化してしまうため、定期的に画像データを新たな記録媒体に書き換える必要がある。
【０００８】
しかしながら、定期的に画像データを新たな記録媒体に書き換えるためには、ユーザ自身が各々の記録媒体に画像データを記録した日時や各々の記録媒体の種別に応じて定められる保管期間などに基づいて書き換えの時期を管理しなければならず、書き換えを忘れてしまった場合には記録媒体が劣化して大切な画像データが読み出せなくなるなどの不具合が生じてしまう。
【０００９】
本発明は、上記問題点に鑑みてなされたものであって、その主たる目的は、画像データの書き換え時期を管理するための管理プログラム及び記録媒体を提供することにある。
【課題を解決するための手段】
【００１０】
上記目的を達成するため、本発明の管理プログラムは、コンピュータを、画像データが記録された記録媒体に対応付けられた所定の期間の経過を管理する期間管理手段、前記所定の期間が経過した後に、表示手段に、前記記録媒体の前記所定の期間が経過したことを示すメッセージを表示させる表示制御手段、として機能させるものである。
【００１１】
本発明においては、前記表示制御手段では、前記表示手段に、前記メッセージに加えて、前記記録媒体に関連付けられた記録媒体を特定する情報、前記記録媒体のレーベル面の色を示す情報、又は、前記レーベル面のデザインを示す情報の少なくとも一つを表示させる構成とすることができる。
【００１２】
また、本発明の管理プログラムは、コンピュータを、画像データが記録された記録媒体に対応付けられた所定の期間の経過を管理する期間管理手段、前記所定の期間が経過した後に、記録手段に、前記画像データを他の記録媒体に記録させる記録制御手段、として機能させるものである。
【００１３】
本発明においては、前記画像データは所定の装置にバックアップされており、前記記録制御手段では、前記記録手段に、前記記録媒体に記録された前記画像データ又は前記所定の装置にバックアップされた前記画像データのいずれかを前記他の記録媒体に記録させる構成とすることができる。
【００１４】
また、本発明においては、前記所定の期間は、前記記録媒体又は所定の装置の少なくとも一方に記録されている構成とすることができ、前記所定の期間は、前記記録媒体に前記画像データが記録されてから、前記記録媒体の種別に応じて定められる期間が満了するまでの期間とすることができる。
【００１５】
また、本発明の記録媒体は、画像データと、前記画像データが記録された記録媒体に対応付けられた所定の期間を示す情報と、コンピュータを、前記所定の期間の経過を管理する期間管理手段、前記所定の期間が経過した後に、表示手段に、前記記録媒体の前記所定の期間が経過したことを示すメッセージを表示させる表示制御手段、として機能させる管理プログラムと、が少なくとも記録されているものである。
【００１６】
また、本発明の記録媒体は、画像データと、前記画像データが記録された記録媒体に対応付けられた所定の期間を示す情報と、コンピュータを、前記所定の期間の経過を管理する期間管理手段、前記所定の期間が経過した後に、記録手段に、前記記録媒体に記録された前記画像データを他の記録媒体に記録させる記録制御手段、として機能させる管理プログラムと、が少なくとも記録されているものである。
【００１７】
このように、本発明によれば、各々の記録媒体の種別に応じて定められた所定の期間が経過した場合に、所定の期間が経過したことを示すメッセージなどが表示され、また、画像データが新しい記録媒体に記録されるため、記録媒体が劣化して画像データが読み出せなくなるなどの不具合の発生を未然に防止することができる。
【発明の効果】
【００１８】
本発明の管理プログラム及び記録媒体によれば、記録媒体が劣化して画像データが読み出せなくなるなどの不具合の発生を未然に防止することができ、写真画像を電子アルバムとして安全かつ確実に保管することができる。
【００１９】
その理由は、各々の記録媒体に対応付けられた保管期間の経過が管理され、保管期間が経過した後に、所定の記録媒体の保管期間が経過したことを示すメッセージや該所定の記録媒体を探し出すために利用される記録媒体の色やデザインを示す情報を含む通知画面が表示手段に表示され、また、保管期間が経過した記録媒体に記録された画像データ又は管理装置にバックアップされた画像データが新しい記録媒体に記録されるからである。
【発明を実施するための最良の形態】
【００２０】
本発明に係る管理プログラムは、その好ましい一実施の形態において、コンピュータを、各々の記録媒体に対応付けられた保管期間の経過を管理する期間管理手段、保管期間が経過した後に、表示手段に、所定の記録媒体の保管期間が経過したことを示すメッセージや所定の記録媒体を探し出すために利用される記録媒体の色やデザインの情報を含む通知画面を表示させる表示制御手段、又は／及び、保管期間が経過した場合に、記録手段に、保管期間が経過した記録媒体に記録された画像データ又は管理装置にバックアップされた画像データを新しい記録媒体に記録させる記録制御手段として機能させるものであり、ユーザ自らが保管期間を管理しなくても適切な時期に画像データの書き換えを実行することができるため、記録媒体が劣化して大切な画像データが読み出せなくなるなどの不具合の発生を未然に防止することができる。
【実施例１】
【００２１】
上記実施形態について詳細に説明すべく、本発明の第１の実施例に係る管理プログラム及び管理装置について、図１乃至図１５を参照して説明する。図１は、本発明の第１の実施例に係る管理装置の構成を模式的に示す図であり、図２乃至図５は、管理装置の他の構成を模式的に示す図である。また、図６は、管理装置の機能を示すブロック図であり、図７は、本実施例に係る記録媒体の作成手順を示すフローチャート図、図８は、本実施例に係る画像データの書き換え手順を示すフローチャート図である。また、図９及び図１０は、画像データの記録構造を示す図であり、図１１は、記録媒体における画像データの記録領域を示す図、図１２は記録媒体（ＣＤ−Ｒ）の構造を模式的に示す図である。また、図１３及び図１４は、管理装置の表示手段に表示される画面の構成例を示す図であり、図１５は、記録媒体の種別及び保管期間の一例を示す図である。
【００２２】
図１に示すように、本実施例の管理装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２と、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３と、インターネット等の通信ネットワーク１１を介してサーバ１０に接続するネットワーク接続部と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００２３】
また、記録装置１に備える主な手段をブロック図で示すと図６のようになり、メディア装填部２、機器接続部３、ネットワーク接続部等を用いて画像データ（静止画像データ又は動画データの少なくとも一方）を入力するデータ入力手段１２と、記録媒体に対応付けられた保管期間の経過を管理する期間管理手段１３と、各々の記録媒体に記録された画像データや保管期間情報などを記憶するＨＤＤなどの記憶手段１４と、計時手段１５と、記録媒体装填部４に装填された記録媒体に画像データや保管期間情報などを記録させる記録制御手段１６と、表示手段５に保管期間が経過していることを示すメッセージを含む通知画面などを表示させる表示制御手段１７と、表示手段５及び操作手段６とを備えている。
【００２４】
なお、上記各手段は管理装置１にハードウェアとして構成されていてもよいが、コンピュータを、少なくとも、期間管理手段１３及び表示制御手段１７、又は、期間管理手段１３及び記録制御手段１６として機能させる管理プログラムとして構成し、該管理プログラムを記憶手段１４に記憶し、管理装置１にインストールして実行する構成としてもよい。また、図１では管理装置１として、記録媒体９を作成する機能と記録媒体９の保管期間を管理する機能の双方を兼ね備えた装置を示しているが、これらの機能を別々の装置で実現する構成としてもよい。また、図１では管理装置１としてパーソナルコンピュータなどのコンピュータ機器を示しているが、管理装置１の形態は任意であり、例えば、図２に示すように専用のセットトップボックスとしたり、図３に示すようにポータブルライターとしたり、図４に示すように演算処理機能を備えたＤＶＤレコーダやＨＤＤレコーダなどとしたり、図５に示すように、ハードディスクを備えた端末と画像データの読み取りや書き込みを行う本体とが分離可能な携帯機器としたり、演算処理機能を備えたカーナビゲーション機器などとすることもできる。
【００２５】
次に、記録媒体９に記録された画像データを他の記録媒体に書き換える手順について説明する前に、上記管理装置１を用いて、記録媒体９に画像データを記録する手順について、図６のフローチャート図を参照して説明する。
【００２６】
まず、ステップＳ１０１で、管理装置１のメディア装填部２にメディア８を装填、又は、機器接続部３にデジタルカメラ７やカメラ付き携帯電話機７ａを接続し、ステップＳ１０２で、デジタルカメラ７やメディア８に記録された画像データを読み取る。ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１０などであってもよい。
【００２７】
次に、ステップＳ１０３で、必要に応じて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、読み取った画像データのデータサイズを縮小したサムネイル画像データやスクリーンネイル画像データなどの縮小画像データを作成する。
【００２８】
次に、ステップＳ１０４で、記録媒体装填部４に記録媒体９を装填する。この記録媒体９として、市販されている任意の記録媒体９を用いることができるが、特定の記録媒体９のみ利用できるようにしてもよく、その場合は記録媒体９の所定の領域に記録媒体９を識別するための識別情報が記録されているか否かに基づいて記録媒体９を特定することができる。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータの書き込みを許可するために設けるものであり、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００２９】
ここで、一般的な記録媒体９の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３０】
次に、期間管理手段１３は、装填された記録媒体９に対する保管期間を特定するが、記録媒体９は上記構成部材の種類などに応じて様々なタイプがあり、図１５に示すように、タイプよって保管期間が異なるため、ステップＳ１０５で、期間管理手段１３は、上記タイプコードなどを参照して装填された記録媒体９の種別を判断し、ステップＳ１０６で、記録媒体９に対応する保管期間（例えば、記録媒体９の種別がＴｙｐｅＡの場合は、記録媒体９の作成日から（すなわち、記録媒体９に画像データが記録されてから）１０年が満了するまでの期間）を特定する。なお、記録媒体９の製造日から記録媒体９の作成日までの期間が長い場合には、記録媒体９の製造日から記録媒体９の種別に応じた期間が満了するまでの期間を保管期間としてもよい。
【００３１】
次に、読み取った画像データや必要に応じて生成した家電機器用データ、縮小画像データ、保管期間情報などを記録媒体９に記録するが、家電機器ではデータを読み込むことができる記録領域が限定されるため、まず、ステップＳ１０７で、必要に応じて生成した家電機器用データを記録媒体９の論理アドレス領域の内周側の領域に記録した後、ステップＳ１０８で必要に応じてセッションをクローズし、その後、ステップＳ１０９で読み取った画像データや縮小画像データ、保管期間情報などをその外側の領域に記録する。その際、該記録媒体９に識別情報が付与されていない場合は、予め定められたルールに従って識別情報を生成し、該識別情報を所定の領域（好ましくは論理アドレス領域外）に記録する。なお、上記論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まない領域である。
【００３２】
次に、ステップＳ１１０で、必要に応じて、該記録媒体９に付与された識別情報に対応付けて、画像データや家電機器用データ、縮小画像データ、保管期間情報などをＨＤＤなどの記憶手段１４にバックアップして一連の処理を終了する。なお、ここでは、記録媒体９と記憶手段１４の双方に画像データや保管期間情報を記録したが、記録媒体９に画像データのみを記録し、記憶手段１４に保管期間情報のみを記憶したり、記録媒体９に画像データと保管期間情報の双方を記録し、記憶手段１４に画像データ又は保管期間情報の一方を記憶したり、記録媒体９に画像データのみを記録し、記憶手段１４に画像データと保管期間情報の双方を記憶する構成としてもよい。また、保管期間情報を記録する代わりに、記録媒体９には識別情報に対応付けて該記録媒体９の作成日（又は製造日）を記録し、記憶手段１４に該識別情報に対応付けて該記録媒体９の種別を記憶しておき、上記作成日（又は製造日）と種別とから保管期間が特定できるようにしてもよい。
【００３３】
上記手順で作成された記録媒体９は、例えば、図１１に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には必要に応じて家電機器用データが記録され、更に家電機器用データの外周側の領域には画像データや縮小画像データ、保管期間情報などのコンピュータ機器用データが記録される。
【００３４】
また、記録媒体９又は記憶手段１４のディレクトリ構造は図９又は図１０に示すようになり、画像データの格納場所を示すフォルダ（PS_Rollフォルダ）内に、画像データや縮小画像データ、保管期間情報などが記述された管理情報ファイル（index.pvm）が格納され、APPLフォルダ内に、画像データをスライドショーとして表示させるためのアプリケーションや設定ファイルなどが格納されてコンピュータ機器用データが構成される。このディレクトリ構造やファイル名は任意であるが、画像データを記録媒体９などにバックアップした場合における管理を容易にするために、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００３５】
また、家電機器用データとしてＶｉｄｅｏ−ＣＤ形式のデータを生成した場合の記録媒体９のディレクトリ構造は図９（ａ）に示すようになり、上記コンピュータ機器用データに加えて、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどが記録され、ＤＶＤ−Ｖｉｄｅｏ形式のデータを生成した場合は、図９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。
【００３６】
次に、記録媒体９に記録された画像データを他の記録媒体９に書き換える手順について、図８のフローチャート図を参照して説明する。
【００３７】
まず、ステップＳ２０１で、管理装置１の期間管理手段１３又は管理プログラムを起動させる。なお、期間管理手段１３又は管理プログラムを起動させるタイミングは特に限定されず、管理装置１の電源投入の際に起動させてもよいし、予め定められた期間毎（例えば、１日毎、１ヶ月毎など）に起動させてもよいし、表示手段５に図１４に示すような画像一覧画面１９を表示させる際又はタグ表示欄２０で特定の記録媒体９を選択する際に起動させてもよいし、記録媒体９を記録媒体装填部４に装填する際に起動させてもよい。また、管理プログラムは管理装置１に常駐するようにしてもよいし、ユーザが管理プログラムを起動させるようにしてもよい。
【００３８】
次に、ステップＳ２０２で、期間管理手段１３又は管理プログラムは管理情報ファイルなどから各々の記録媒体９に対応付けられた保管期間情報を読み取る。なお、管理情報ファイルが管理装置１の記憶手段１４に記憶されている場合は、該記憶手段１４から記録媒体９の識別情報に対応付けられた保管期間情報を読み取ればよいし、管理情報ファイルが記録媒体９に記録されている場合は、記録媒体装填部４に記録媒体９が装填されたら該記録媒体９から識別情報と保管期間情報とを読み取ればよい。
【００３９】
次に、ステップＳ２０３で、期間管理手段１３又は管理プログラムは、計時手段１５から取得した現在の日時に基づいて、保管期間を経過している記録媒体９があるか否かを判断する。その際、全ての記録媒体９に対して判断してもよいし、記録媒体装填部４に装填された記録媒体９や上記画像一覧画面１９のタグ表示欄２０で選択された記録媒体９などの特定の記録媒体９のみに対して判断してもよい。
【００４０】
そして、保管期間を経過している記録媒体９がある場合には、ステップＳ２０４で、表示制御手段１７は、例えば、図１３（ａ）に示すような通知画面１８を表示手段５に表示させる。この通知画面１８には、記録媒体９の識別情報に対応付けて保管期間を経過したことを示すメッセージなどが表示され、ユーザはこの通知画面１８を見ることによってその記録媒体９の保管期間が経過したことを認識することができる。
【００４１】
なお、通知画面１８は図１３（ａ）の構成に限定されず、上記メッセージ以外の他の情報を表示してもよい。例えば、画像データが記憶手段１４にバックアップされておらず、保管期間が経過している記録媒体９が破損していて画像データが読み出せない場合に、その記録媒体９に記録されている画像データが他の記録媒体９にも記録されている場合があることから、例えば図１３（ｂ）に示すように、保管期間を経過している記録媒体９に関連する記録媒体９（例えば、識別情報が近似している記録媒体９や作成日が近い記録媒体９）の識別情報などを通知画面１８に表示してもよい。また、記録媒体９の識別情報のみを表示しても多数の記録媒体９の中から所望の記録媒体９を探し出すのは容易ではないことから、図１５に示すように記録媒体９がタイプ毎に色やデザインなどが異なる場合には、例えば図１３（ｃ）に示すように、保管期間が経過している記録媒体９のレーベル面の色やデザインを示す情報などを表示してもよい。
【００４２】
次に、ステップＳ２０５で、ユーザは画像データの書き換えを行うか否かを判断し、書き換えを実行する場合は、期間管理手段１３は、ステップＳ２０６で、記憶手段１４に記憶された管理情報ファイルの記述や画像データを格納するフォルダ（図９及び図１０の構成におけるＲＯフォルダなど）の名称などを参照して、書き換えを行う画像データが管理装置１の記憶手段１４に記憶されているか否かを判断する。なお、ここでは通知画面１８に画像データの書き換えを実行させるためのボタンを設け、ユーザに書き換えを指示させる構成としているが、通知画面１８を表示させた後又は通知画面１８を表示させずに、自動的に画像データの書き換えが実行されるようにしてもよい。
【００４３】
そして、書き換えを行う画像データが記憶手段１４に記憶されていない場合は、ステップＳ２０７で、ユーザは通知画面１８に表示された識別情報や色、デザインなどを参照して保管期間が経過した記録媒体９を探して記録媒体装填部４に装填する。また、保管期間が経過した記録媒体９が破損している場合や紛失した場合には関連する記録媒体９を探して記録媒体装填部４に装填する。次に、ステップＳ２０８で、期間管理手段１３は、記憶手段１４又は記録媒体装填部４に装填された記録媒体９から書き換えの対象となる画像データを読み取る。
【００４４】
次に、記録媒体装填部４に保管期間が経過した記録媒体９を装填した場合は、この記録媒体９を排出した後、ステップＳ２０９で、該画像データを記録する新たな記録媒体９を装填する。なお、この記録媒体９も、市販されている任意の記録媒体を用いてもよいし、所定の領域に識別情報が記録されている記録媒体９のみを利用可能にしてもよい。また、管理装置１に複数の記録媒体装填部４を備えている場合は保管期間が経過した記録媒体９と新たな記録媒体９の双方を記録媒体装填部４に装填してもよい。
【００４５】
次に、ステップＳ２１０で、期間管理手段１３は、記録媒体装填部４に装填された新たな記録媒体９のタイプコードなどを参照して新たな記録媒体９の種別を判断し、図１５に示すテーブルを参照して保管期間を特定する。
【００４６】
そして、ステップＳ２１１で、記録制御手段１６は、ステップＳ２０８で読み取った画像データや家電機器用データ、縮小画像データと、ステップＳ２１０で特定した保管期間情報とを新たな記録媒体９に書き込む。その際、新たな記録媒体９の識別情報として、保管期間が経過した記録媒体９の識別情報をそのまま使用してもよいし、新たな識別情報を付与してもよく、新たな識別情報を付与する場合には保管期間が経過した記録媒体９の識別情報との対応関係を管理情報ファイルなどに記録することが好ましい。
【００４７】
次に、ステップＳ２１２で、必要に応じて、管理装置１の記憶手段１４に、新たな記録媒体９に対して付与された識別情報に対応付けて上記画像データや保管期間情報を記憶する。なお、ここでは、記録媒体９と記憶手段１４の双方に画像データや保管期間情報を記録したが、上記と同様に、記録媒体９に画像データのみを記録し、記憶手段１４に保管期間情報のみを記憶したり、記録媒体９に画像データと保管期間情報の双方を記録し、記憶手段１４に画像データ又は保管期間情報の一方を記憶したり、記録媒体９に画像データのみを記録し、記憶手段１４に画像データと保管期間情報の双方を記憶する構成としてもよい。また、保管期間情報を記録する代わりに、記録媒体９には識別情報に対応付けて該記録媒体９の作成日（又は製造日）を記録し、記憶手段１４に該識別情報に対応付けて該記録媒体９の種別を記憶しておき、上記作成日（又は製造日）と種別とから保管期間が特定できるようにしてもよい。
【００４８】
その後、保管期間が経過した他の記録媒体９がある場合は、ステップＳ２０４からＳ２１２までを繰り返し、一連の処理を終了する。
【００４９】
このように、本実施例の管理装置１及び記録媒体では、期間管理手段１３によって各々の記録媒体９の保管期間が管理され、保管期間が経過した後にその旨を示すメッセージなどが表示手段５に表示され、また、新しい記録媒体９への書き換えが実行されるため、ユーザ自らが保管期間を管理する必要がなくなり、記録媒体９が劣化して画像データの読み出しができなくなるなどの不具合の発生を未然に防止して、写真画像に基づく画像データを安全に保管することができる。
【実施例２】
【００５０】
次に、本発明の第２の実施例に係る管理プログラム及び管理装置並びに記録媒体について、図１６及び図１７を参照して説明する。図１６は、本実施例に係る画像データの書き換え手順を示すフローチャート図であり、図１７は、本実施例の記録媒体におけるデータの記録構造を示す図である。
【００５１】
前記した第１の実施例では、管理装置１に期間管理手段１３、記録制御手段１６、表示制御手段１７を備える構成又は管理装置１に管理プログラムをインストールして上記手段として機能させる構成としたが、本実施例では、この管理プログラムを記録媒体９に記録しておき、記録媒体９を利用する際に該記録媒体９に記録された管理プログラムが実行されるようにする。
【００５２】
まず、管理装置１を用いて記録媒体９に画像データと管理プログラムとを記録する手順について説明する。
【００５３】
前記した第１の実施例と同様に、管理装置１のメディア装填部２にメディア８を装填、又は、機器接続部３にデジタルカメラ７やカメラ付き携帯電話機７ａを接続し、デジタルカメラ７やメディア８に記録された画像データを読み取り、必要に応じて、読み取った画像データに基づいて家電機器用データや縮小画像データを作成する。次に、記録媒体装填部４に記録媒体９を装填し、タイプコードなどに基づいて該記録媒体９の種別を判断し、図１５に示すテーブルを参照して保管期間を特定する。
【００５４】
次に、読み取った画像データや必要に応じて生成した家電機器用データ、縮小画像データ、保管期間情報などを記録媒体９に記録するが、本実施例ではコンピュータ機器用データ群として画像データや縮小画像データ、保管期間情報と共に、管理装置１の記憶手段１４に予め記憶された管理プログラムを記録する。なお、この管理プログラムは画像データと共に書き込んでもよいし、予め管理プログラムが記録された記録媒体９に対して画像データを書き込む構成としてもよい。
【００５５】
その後、必要に応じて、該記録媒体９に付与された識別情報に対応付けて、画像データや家電機器用データ、縮小画像データ、保管期間情報などをＨＤＤなどの記憶手段１４にバックアップして一連の処理を終了する。なお、第１の実施例と同様に、記録媒体９と記憶手段１４の各々に記録するデータは適宜変更することができ、例えば、記録媒体９に画像データと管理プログラムを記録し、記憶手段１４に保管期間情報を記憶したり、記録媒体９に画像データと保管期間情報と管理プログラムを記録し、記憶手段１４に画像データ又は保管期間情報の一方を記憶したり、記録媒体９に画像データと管理プログラムを記録し、記憶手段１４に画像データと保管期間情報を記憶する構成などとしてもよいし、保管期間情報を記録する代わりに、記録媒体９には識別情報に対応付けて該記録媒体９の作成日（又は製造日）を記録し、記憶手段１４に該識別情報に対応付けて該記録媒体９の種別を記憶しておき、上記作成日（又は製造日）と種別とから保管期間が特定できるようにしてもよい。
【００５６】
上記手順で作成された記録媒体９のディレクトリ構造は図１７に示すようになり、画像データの格納場所を示すフォルダ（PS_Rollフォルダ）内に、画像データや縮小画像データ、保管期間情報などが記述された情報ファイル（index.pvm）が格納され、APPLフォルダ内に、画像データをスライドショーとして再生させるためのアプリケーションや設定ファイルに加えて管理プログラム（Management.exe）が格納されてコンピュータ機器用データが構成され、家電機器用データとして、”VCD”フォルダ、”SEGMENT”フォルダ、”MPEGAV”フォルダ、”DAT”フォルダなどで構成されるＶｉｄｅｏ−ＣＤ形式のデータ、又は、”VIDEO_TS”フォルダなどで構成されるＤＶＤ−Ｖｉｄｅｏ形式のデータが記録される。
【００５７】
次に、記録媒体９に記録された画像データを他の記録媒体９に書き換える手順について、図１６のフローチャート図を参照して説明する。
【００５８】
まず、ステップＳ３０１で、記録媒体装填部４に画像データと管理プログラムと必要に応じて保管期間情報とが記録された記録媒体９を装填する。すると、管理装置１は該記録媒体９から管理プログラムを読み取り、ステップＳ３０２で管理プログラムを起動させる。次に、ステップＳ３０３で、管理プログラムは記録媒体９又は記憶手段１４に記録された管理情報ファイルなどから保管期間情報を読み取る。
【００５９】
そして、ステップＳ３０４で、管理プログラムは、計時手段１５から取得した現在の日時に基づいて、該記録媒体９の保管期間が経過しているか否かを判断し、保管期間が経過している場合には、ステップＳ３０５で、保管期間が経過したことを示すメッセージが表示される通知画面１８を表示手段５に表示させる。この通知画面１８には、第１の実施例と同様に、上記メッセージ以外に、該記録媒体９に関連する記録媒体９の識別情報などを表示してもよい。
【００６０】
次に、ステップＳ３０６で、ユーザは画像データの書き換えを行うか否かを判断し、書き換えを実行する場合には、ステップＳ３０７で、記録媒体９から画像データを読み取る。なお、記録媒体９が破損している場合は、記憶手段１４に該画像データがバックアップされていれば記憶手段１４から画像データを読み取ることができ、記憶手段１４に該画像データがバックアップされていなければ関連する記録媒体９から画像データを読み取ることもできる。また、ここでは通知画面１８に画像データの書き換えを実行させるためのボタンを設け、ユーザに書き換えを指示させる構成としているが、通知画面１８を表示させた後又は通知画面１８を表示させずに、自動的に画像データの書き換えが実行されるようにしてもよい。
【００６１】
次に、保管期間が経過した記録媒体９を排出した後、ステップＳ３０８で、記録媒体装填部４に画像データを記録する新たな記録媒体９を装填する。この記録媒体９も、市販されている任意の記録媒体を用いてもよいし、所定の領域に識別情報が記録されている記録媒体９のみを利用可能にしてもよい。また、管理装置１に複数の記録媒体装填部４を備えている場合は保管期間が経過した記録媒体９と新たな記録媒体９の双方を記録媒体装填部４に装填してもよい。
【００６２】
次に、ステップＳ３０９で、管理プログラムは、装填された新たな記録媒体９のタイプコードなどを参照して新たな記録媒体９の種別を判断し、図１５に示すテーブルを参照して保管期間を特定する。
【００６３】
そして、ステップＳ３１０で、管理プログラムは、読み取った画像データや家電機器用データ、縮小画像データと、特定した保管期間情報と、必要に応じて管理プログラムとを新たな記録媒体９に書き込む。その際、新たな記録媒体９の識別情報として、保管期間が経過した記録媒体９の識別情報をそのまま使用してもよいし、新たな識別情報を付与してもよく、新たな識別情報を付与する場合には保管期間が経過した記録媒体９の識別情報との対応関係を管理情報ファイルなどに記録することが好ましい。
【００６４】
次に、ステップＳ３１１で、必要に応じて、管理装置１の記憶手段１４に、新たな記録媒体９に対して付与された識別情報に対応付けて上記画像データや保管期間情報を記憶して一連の処理を終了する。その際、記録媒体９と記憶手段１４の各々に記録するデータは適宜変更することができ、例えば、記録媒体９に画像データと管理プログラムを記録し、記憶手段１４に保管期間情報を記憶したり、記録媒体９に画像データと保管期間情報と管理プログラムを記録し、記憶手段１４に画像データ又は保管期間情報の一方を記憶したり、記録媒体９に画像データと管理プログラムを記録し、記憶手段１４に画像データと保管期間情報を記憶する構成などとしてもよいし、保管期間情報を記録する代わりに、記録媒体９には識別情報に対応付けて該記録媒体９の作成日（又は製造日）を記録し、記憶手段１４に該識別情報に対応付けて該記録媒体９の種別を記憶しておき、上記作成日（又は製造日）と種別とから保管期間が特定できるようにしてもよい。
【００６５】
このように、本実施例の管理装置１及び記録媒体でも、管理プログラムによって記録媒体９の保管期間が管理され、保管期間が経過した記録媒体９が装填された場合にはその旨を示すメッセージなどが表示手段５に表示され、また、新しい記録媒体９への書き換えが実行されるため、ユーザ自らが保管期間を管理する必要がなくなり、記録媒体９が劣化して画像データの読み出しができなくなるなどの不具合の発生を未然に防止して、写真画像に基づく画像データを安全に保管することができる。
【００６６】
なお、上記各実施例では、画像データを書き換える場合について示したが、本発明は上記実施例に限定されるものではなく、音楽データなどの画像データ以外の他の種類のデータを書き換える場合についても同様に適用することができる。
【図面の簡単な説明】
【００６７】
【図１】本発明の第１の実施例に係る管理装置の構成を示す外観図である。
【図２】本発明の第１の実施例に係る管理装置の他の構成を示す外観図である。
【図３】本発明の第１の実施例に係る管理装置の他の構成を示す外観図である。
【図４】本発明の第１の実施例に係る管理装置の他の構成を示す外観図である。
【図５】本発明の第１の実施例に係る管理装置の他の構成を示す外観図である。
【図６】本発明の第１の実施例に係る管理装置の機能を示すブロック図である。
【図７】本発明の第１の実施例に係る管理装置を用いた記録媒体の作成手順を示すフローチャート図である。
【図８】本発明の第１の実施例に係る管理装置を用いた画像データの書き換え手順を示すフローチャート図である。
【図９】本発明の第１の実施例の記録媒体における画像データの記録構造を示す図である。
【図１０】本発明の第１の実施例の管理装置における画像データの記録構造を示す図である。
【図１１】本発明の第１の実施例の記録媒体における画像データの記録領域を示す図である。
【図１２】記録媒体（ＣＤ−Ｒ）の構造を模式的に示す図である。
【図１３】本発明の第１の実施例に係る管理装置の表示手段に表示される通知画面の構成例を示す図である。
【図１４】本発明の第１の実施例に係る管理装置の表示手段に表示される画像一覧画面の構成例を示す図である。
【図１５】本発明の第１の実施例に係る記録媒体の種別及び保管期間の一例を示す図である。
【図１６】本発明の第２の実施例に係る管理装置を用いた画像データの書き換え手順を示すフローチャート図である。
【図１７】本発明の第２の実施例の記録媒体における画像データの記録構造を示す図である。
【符号の説明】
【００６８】
１  管理装置
２  メディア装填部
３  機器接続部
４  記録媒体装填部
５  表示部
６  操作部
７  デジタルカメラ
７ａ  カメラ付き携帯電話機
８  メディア
９  記録媒体
１０  サーバ
１１  通信ネットワーク
１２  データ入力手段
１３  期間管理手段
１４  記憶手段
１５  計時手段
１６  記録制御手段
１７  表示制御手段
１８  通知画面
１９  画像一覧画面
２０  タグ表示欄
２１  アルバム表示欄
【図１】
2006236464.tif 000003
【図２】
2006236464.tif 000004
【図３】
2006236464.tif 000005
【図４】
2006236464.tif 000006
【図５】
2006236464.tif 000007
【図６】
2006236464.tif 000008
【図７】
2006236464.tif 000009
【図８】
2006236464.tif 000010
【図９】
2006236464.tif 000011
【図１０】
2006236464.tif 000012
【図１１】
2006236464.tif 000013
【図１２】
2006236464.tif 000014
【図１３】
2006236464.tif 000015
【図１４】
2006236464.tif 000016
【図１５】
2006236464.tif 000017
【図１６】
2006236464.tif 000018
【図１７】
2006236464.tif 000019